(57)【要約】【課題】顧客のニーズに柔軟、かつ低コストで対応できる天板付什器を提供する。【解決手段】本発明に係る天板付什器は、支持構造体と、支持構造体に支持された天板と、天板を上下方向に貫通する配線挿通孔を開閉する配線カバー４４，４５と、天板に設けられ、配線カバー４４，４５を支持するカバー支持部５１と、を備えている。カバー支持部５１には、電子機器の配線が接続される電気的接続部１２２を有する接続ユニット４３を、配線挿通孔内で保持する保持部材４２が着脱可能に取り付けられる。【選択図】図２
2020081330.tif 000002
【特許請求の範囲】
【請求項１】
支持構造体と、
前記支持構造体に支持された天板と、
前記天板を上下方向に貫通する配線挿通孔を開閉する配線カバーと、
前記天板又は前記支持構造体に設けられ、前記配線カバーを支持するカバー支持部と、を備え、
前記カバー支持部には、電子機器の配線が接続される電気的接続部を有する接続ユニットを、前記配線挿通孔内で保持する保持部材が着脱可能に取り付けられる天板付什器。
【請求項２】
前記カバー支持部に前記接続ユニットが取り付けられた状態において、前記配線カバーのうち、閉位置で前記接続ユニットと平面視で重なり合う位置には、前記電気的接続部を外部に露出させる露出部が形成されている請求項１に記載の天板付什器。
【請求項３】
前記カバー支持部は、上下方向に直交する方向のうち、第１方向において前記配線挿通孔を挟んで両側に配置された一対のカバー受部材を備え、
前記保持部材は、一対の前記カバー受部材にそれぞれ着脱される一対のアダプタを備え、
前記接続ユニットは、一対の前記アダプタ間に架け渡された状態で前記保持部材に保持される請求項１又は請求項２に記載の天板付什器。
【請求項４】
前記カバー受部材は、前記アダプタが上下方向に移動不能に係合されるアダプタ係合部を有し、
前記アダプタは、前記接続ユニットが上方から挿入されるユニット収容部を備え、
前記電気的接続部は、前記接続ユニットの上面で開口している請求項３に記載の天板付什器。
【請求項５】
前記第１方向において、前記配線挿通孔の中心に向かう方向を内側とすると、
前記アダプタ係合部は、前記カバー受部材における前記第１方向の内側端縁から前記第１方向の外側に窪むとともに、前記アダプタが配設可能な切欠き部を有し、
前記切欠き部の少なくとも一部は、平面視において前記配線挿通孔の内側に配置されている請求項４に記載の天板付什器。
【請求項６】
上下方向に直交する方向のうち、前記第１方向に直交する第２方向において、前記配線挿通孔の開口縁と、前記配線カバーの先端縁と、の間には、隙間が設けられている請求項３から請求項５の何れか１項に記載の天板付什器。
【請求項７】
前記天板の下方には、前記配線挿通孔を下方から覆う配線トレーが配設されている請求項１から請求項６の何れか１項に記載の天板付什器。
【発明の詳細な説明】
【技術分野】
【０００１】
本発明は、天板付什器に関する。
【背景技術】
【０００２】
近年、オフィスや病院、公共施設等の各種施設に設置される天板付什器では、利用者が天板上で電子機器を使用することがある。そのため、天板付什器として、電子機器への電源供給やインターネットへの接続等を行うための配線接続システムを、天板に設ける構成が知られている。
【０００３】
下記特許文献１，２には、配線接続システムとして、テーブルタップ等の接続ユニットを載置するための配線トレーを、天板の下方に設ける構成が開示されている。下記特許文献１，２に記載の構成において、利用者は、天板に形成された配線挿通孔を通じて電子機器の配線を天板の下方に引き回すことで、例えば配線トレー上に載置された接続ユニットに配線を接続できる。また、接続ユニットの未使用時には、配線カバーにより配線挿通孔を閉塞することで、接続ユニットの未使用時における天板付什器としての体裁を向上できると考えられる。
【０００４】
下記特許文献３には、配線接続システムとして、接続ユニットを天板に取り付ける構成が開示されている。具体的に、下記特許文献３，４の構成では、天板に形成された配線挿通孔を通じて天板上に露出するように接続ユニットが設けられている。この構成によれば、接続ユニットが天板上に露出することで、電子機器と接続ユニットとの距離を近付けることが可能になり、配線の接続作業が容易になると考えられる。
【先行技術文献】
【特許文献】
【０００５】
【特許文献１】特開２０１５−１０４５２０号公報
【特許文献２】特開２０１７−７９８２０号公報
【特許文献３】特許第６２３４００４号公報
【発明の概要】
【発明が解決しようとする課題】
【０００６】
しかしながら、上述した従来技術にあっては、接続ユニットを天板に取り付ける場合と、接続ユニットを天板に取り付けない場合と、で配線接続システムの全体を変更する必要があった。そのため、顧客のニーズに柔軟、かつ低コストで対応する点で未だ改善の余地があった。
【０００７】
本発明は、顧客のニーズに柔軟、かつ低コストで対応できる天板付什器を提供することを目的とする。
【課題を解決するための手段】
【０００８】
上記目的を達成するために、本発明の一態様に係る天板付什器は、支持構造体と、前記支持構造体に支持された天板と、前記天板を上下方向に貫通する配線挿通孔を開閉する配線カバーと、前記天板又は前記支持構造体に設けられ、前記配線カバーを支持するカバー支持部と、を備え、前記カバー支持部には、電子機器の配線が接続される電気的接続部を有する接続ユニットを、前記配線挿通孔内で保持する保持部材が着脱可能に取り付けられる。
【０００９】
本態様によれば、保持部材をカバー支持部に取り付けることで、接続ユニットが天板に取り付けられた態様の天板付什器を提供できる。一方、カバー支持部から保持部材を取り外すことで、接続ユニットが天板に取り付けられていない態様の天板付什器を提供できる。すなわち、接続ユニットを天板に取り付ける態様と、接続ユニットを天板に取り付けない態様と、を保持部材の着脱で切り替えられるので、カバー支持部を共用できる。これにより、顧客のニーズに柔軟、かつ低コストで対応できる。
なお、接続ユニットを天板に取り付けない態様の場合に、保持部材を取り外すことで、配線挿通スペースを拡大できる。
【００１０】
上記態様の天板付什器において、前記カバー支持部に前記接続ユニットが取り付けられた状態において、前記配線カバーのうち、閉位置で前記接続ユニットと平面視で重なり合う位置には、前記電気的接続部を外部に露出させる露出部が形成されていてもよい。
本態様によれば、配線カバーが閉位置であっても電子機器と接続ユニット（電気的接続部）との電気的接続が可能となる。そのため、電子機器の接続状態における天板付什器の体裁を向上させることができる。
【００１１】
上記態様の天板付什器において、前記カバー支持部は、上下方向に直交する方向のうち、第１方向において前記配線挿通孔を挟んで両側に配置された一対のカバー受部材を備え、前記保持部材は、一対の前記カバー受部材にそれぞれ着脱される一対のアダプタを備え、前記接続ユニットは、一対の前記アダプタ間に架け渡された状態で前記保持部材に保持されてもよい。
本態様によれば、カバー支持部が一対のカバー受部材により構成され、保持部材が一対のアダプタにより構成されている。そのため、カバー支持部及び保持部材をそれぞれ一体で形成する場合に比べて各部材の小型化を図ることができる。また、保持部材を一対のアダプタに分割することで、カバー支持部に対する保持部材（アダプタ）の組付性を向上させることができる。
【００１２】
上記態様の天板付什器において、前記カバー受部材は、前記アダプタが上下方向に移動不能に係合されるアダプタ係合部を有し、前記アダプタは、前記接続ユニットが上方から挿入されるユニット収容部を備え、前記電気的接続部は、前記接続ユニットの上面で開口していてもよい。
本態様によれば、アダプタがアダプタ係合部に上下方向に移動不能に係合されるため、接続ユニットへの配線への抜き差しの際に、アダプタがカバー受部材から外れるのを抑制できる。
【００１３】
上記態様の天板付什器において、前記第１方向において、前記配線挿通孔の中心に向かう方向を内側とすると、前記アダプタ係合部は、前記カバー受部材における前記第１方向の内側端縁から前記第１方向の外側に窪むとともに、前記アダプタが配設可能な切欠き部を有し、前記切欠き部の少なくとも一部は、平面視において前記配線挿通孔の内側に配置されていてもよい。
本態様によれば、接続ユニットを天板に取り付けない態様の場合に、切欠き部を配線挿通スペースに利用できる。
一方、接続ユニットを天板に取り付ける態様の場合には、接続ユニットにおける第１方向の両端部が切欠き部内に配置される。これにより、カバー受部材における第１方向の内側端縁同士の距離よりも大型の接続ユニットを使用することができる。
その結果、利便性を向上させることができる。
【００１４】
上記態様の天板付什器において、上下方向に直交する方向のうち、前記第１方向に直交する第２方向において、前記配線挿通孔の開口縁と、前記配線カバーの先端縁と、の間には、隙間が設けられていてもよい。
本態様によれば、配線挿通孔内に配線を通した場合であっても、配線カバーを閉位置にすることができる。これにより、天板付什器の体裁を向上させることができる。
【００１５】
上記態様の天板付什器において、前記天板の下方には、前記配線挿通孔を下方から覆う配線トレーが配設されていてもよい。
本態様によれば、天板の下方に配線を案内したり、配線トレー上にテーブルタップ等を載置したりすることができる。また、配線挿通孔が配線トレーによって下方から覆われるため、天板付什器の体裁を向上させることができる。
【発明の効果】
【００１６】
上記各態様によれば、顧客のニーズに柔軟、かつ低コストで対応できる。
【図面の簡単な説明】
【００１７】
【図１】第１実施形態に係る天板付什器の斜視図である。
【図２】第１実施形態に係る配線接続システムの分解斜視図である。
【図３】第１実施形態に係るカバー受部材、保持部材及び接続ユニットの斜視図である。
【図４】図３のＩＶ−ＩＶ線に相当する部分における天板付什器の断面図である。
【図５】第１実施形態に係るアダプタの斜視図である。
【図６】図３のＶＩ−ＶＩ線に相当する天板付什器の断面図である。
【図７】図１のＶＩＩ−ＶＩＩ線に沿う断面図である。
【図８】図１のＶＩＩＩ−ＶＩＩＩ線に沿う断面図である。
【図９】第１実施形態の変形例に係る天板付什器の平面図である。
【図１０】第１実施形態の変形例に係る天板付什器の平面図である。
【図１１】第１実施形態の変形例に係る天板付什器の図４に対応する断面図である。
【図１２】第２実施形態に係る配線接続システムの斜視図である。
【発明を実施するための形態】
【００１８】
次に、本発明の実施形態を図面に基づいて説明する。以下の説明において、床面Ｆに直交する方向を上下方向（矢印ＵＰが上側）とし、上下方向に直交する２方向をそれぞれ前後方向（矢印ＦＲが前側）及び左右方向（第１方向：矢印ＬＨが左側）として説明する。
【００１９】
（第１実施形態）
［天板付什器］
図１は、天板付什器１の斜視図である。
図１に示すように、本実施形態の天板付什器１は、例えばオフィスや公共施設の会議室等に設置されたテーブルである。天板付什器１は、天板ユニット１１と、支持構造体１２と、を備えている。
【００２０】
＜天板ユニット＞
天板ユニット１１は、天板２１と、配線接続システム２２と、を備えている。
天板２１は、例えば平面視正方形状に形成されている。但し、天板２１の平面視外形は、正方形状に限らず、長方形状や円形状、三角形状等、適宜変更が可能である。なお、天板２１は、例えば木材や金属等により形成されている。
天板２１上には、各種電子機器Ｄ１，Ｄ２（例えば、パーソナルコンピュータ、スマートフォン、タブレットコンピュータ等）が載置可能である。本実施形態において、電子機器Ｄ１，Ｄ２は、天板２１上において、配線接続システム２２を間に挟んで前後方向で対向する位置に載置されている。
【００２１】
天板２１の中央部（前後方向及び左右方向の中央部）には、天板２１を上下方向に貫通する配線挿通孔２３が形成されている。配線挿通孔２３は、平面視正方形状に形成されている。但し、配線挿通孔２３の平面視外形は、正方形状に限らず、長方形状や円形状、三角形状等、適宜変更が可能である。なお、天板２１における配線挿通孔２３の位置は、中央部に限らず、天板２１の中央部に対して前後方向及び左右方向にずれた位置に形成されていてもよい。また、配線挿通孔２３は、少なくとも一部が天板２１の外周縁で開放されていてもよい。
【００２２】
配線接続システム２２は、例えば天板２１上に載置される電子機器Ｄ１，Ｄ２から引き出される配線Ｃ１，Ｃ２を、外部電源やインターネット等に接続したり、天板２１の下方に案内したりするためのものである。配線接続システム２２の詳細については後述する。
【００２３】
＜支持構造体＞
支持構造体１２は、複数本の脚部３１を備えている。各脚部３１は、床面Ｆから上方に立設されている。各脚部３１は、例えば天板２１の下面における各角部に対応する位置に、それぞれブラケット３２を介して取り付けられている。これにより、天板ユニット１１は、支持構造体１２により下方から支持されている。なお、支持構造体１２は、例えば天板２１の下面に取り付けられた枠状のフレーム部材に、各脚部３１の上端部が接続された構成であってもよい。
【００２４】
脚部３１の下端部には、床面Ｆ上を走行可能なキャスタ３３が取り付けられている。但し、脚部３１は、キャスタ３３を有さない構成でもよく、キャスタ３３に代えてアジャスタ等を有する構成であってもよい。
【００２５】
＜配線接続システム＞
図２は、配線接続システム２２の分解斜視図である。
配線接続システム２２は、配線受けユニット４１と、保持部材４２と、接続ユニット４３と、第１配線カバー４４と、第２配線カバー４５と、を備えている。
【００２６】
＜配線受けユニット＞
配線受けユニット４１は、天板２１における配線挿通孔２３に対応する位置に、天板２１の下方から取り付けられる。配線受けユニット４１は、カバー支持部５１と、配線トレー５２と、を備えている。
カバー支持部５１は、配線挿通孔２３における左右の開口縁に沿って配置された左右一対のカバー受部材５５を備えている。なお、各カバー受部材５５は、左右対称の構成とされている。したがって、以下の説明では、一方（右側）のカバー受部材５５について説明する。
【００２７】
図３は、カバー受部材５５、保持部材４２及び接続ユニット４３の斜視図である。
図３に示すように、カバー受部材５５は、天板２１の下面のうち、配線挿通孔２３の右側開口縁に沿って配置されている。カバー受部材５５は、樹脂材料等により一体に形成されている。カバー受部材５５は、取付ベース６１と、回動軸部（第１回動軸部６２及び第２回動軸部６３）と、台座部（第１台座部６４及び第２台座部６５）と、を備えている。
【００２８】
取付ベース６１は、配線挿通孔２３の右側開口縁に沿って前後方向に延在する長尺の部材である。取付ベース６１は、少なくとも前後方向の両端部が天板２１により上方から覆われた状態で、天板２１の下方に配置される。本実施形態では、取付ベース６１における前後方向の中央部のうち、右側部分が天板２１により上方から覆われ、左側部分が配線挿通孔２３を通じて外部に露出している。取付ベース６１における前後両端部には、取付ベース６１を上下方向に貫通するベース挿通孔６０が形成されている。
【００２９】
取付ベース６１において、前後方向の中心に対して両側に位置する部分には、一対の切欠き部（第１切欠き部６６及び第２切欠き部６７）が形成されている。各切欠き部６６，６７は、平面視において、左右方向を長手方向とする矩形状に形成されている。各切欠き部６６，６７は、取付ベース６１を上下方向に貫通するとともに、取付ベース６１の左側端縁上で開口している。切欠き部６６，６７は、少なくとも一部が平面視で配線挿通孔２３の内側に配置されている。なお、取付ベース６１には、取付ベース６１から下方に延びるリブ６９が複数形成されている。
【００３０】
第１回動軸部６２は、取付ベース６１のうち、第１切欠き部６６に対して前後方向の内側（中心寄り）に形成されている。第２回動軸部６３は、取付ベース６１のうち、第２切欠き部６７に対して前後方向の内側に形成されている。各回動軸部６２，６３は、取付ベース６１における左側端縁から上方に立設されている。すなわち、各回動軸部６２，６３は、配線挿通孔２３内に下方から進入している。なお、取付ベース６１の中央部には、下方に窪む逃げ部７１が形成されている。逃げ部７１は、回動軸部６２，６３の周囲を取り囲んでいる。
【００３１】
第１台座部６４は、取付ベース６１のうち、第１切欠き部６６に対して前方に位置する部分から上方に膨出している。第２台座部６５は、取付ベース６１のうち、第２切欠き部６７に対して後方に位置する部分から上方に膨出している。本実施形態において、各台座部６４，６５は、配線挿通孔２３内の前後方向で対向する角部にそれぞれ近接して配置される。なお、各台座部６４，６５は、前後対称な構成とされている。したがって、以下の説明では、第１台座部６４について主に説明し、第２台座部６５については、第１台座部６４と同一の符号を付して説明を省略する場合がある。
【００３２】
第１台座部６４は、平面視で矩形状に形成されている。具体的に、第１台座部６４は、下段部７３、中段部７４及び上段部７５を備えている。
下段部７３は、取付ベース６１において、第１切欠き部６６の前端縁と取付ベース６１の左側端縁とがなす角部に形成されている。下段部７３の上面は、取付ベース６１の上面に対して上方に位置するとともに、上下方向に直交する平坦面とされている。下段部７３には、下段部７３を上下方向に貫通する保持孔７３ａが形成されている。
【００３３】
中段部７４は、下段部７３に対して前方及び右側に連なっている。中段部７４の上面は、下段部７３の上面に対して上方に位置するとともに、上下方向に直交する平坦面とされている。
上段部７５は、第１台座部６４のうち下段部７３と対角の位置に配置されている。上段部７５の上面は、中段部７４の上面に対して上方に位置するとともに、上下方向に直交する平坦面とされている。なお、上段部７５の上面は、天板２１の上面よりも下方に配置されている。但し、上段部７５の上面が天板２１の上面と面一に配置されていてもよい。
【００３４】
図２に示すように、配線トレー５２は、配線挿通孔２３を下方から覆っている（図６等参照）。配線トレー５２は、底壁部８１と、前壁部８２と、後壁部８３と、右壁部８４と、左壁部８５と、を備えている。
底壁部８１は、天板２１の下方において、配線挿通孔２３に対向配置されている。底壁部８１の中央部には、上方に膨出する膨出部８１ａが形成されている。膨出部８１ａは、底壁部８１の剛性を確保する機能を有している。なお、底壁部８１には、テーブルタップ等を載置してもよい。
【００３５】
前壁部８２は、底壁部８１の前端縁から上方に延設されている。後壁部８３は、底壁部８１の後端縁から上方に延設されている。なお、前壁部８２及び後壁部８３は、前後対称の構成とされている。したがって、以下の説明では、前壁部８２について主に説明し、後壁部８３については、前壁部８２と同一の符号を付して説明を省略する場合がある。
【００３６】
前壁部８２は、底壁部８１における左右方向の全長に亘って形成されている。前壁部８２には、前壁部８２を前後方向に貫通する配線通過口８７が形成されている。配線通過口８７は、前壁部８２の上端縁で開口している。但し、配線通過口８７は、前壁部８２の一部を前後方向で貫通していれば、位置や数、形状等は適宜変更が可能である。例えば、配線通過口８７は、前壁部８２によって全周が取り囲まれていてもよく、前壁部８２の下端縁や左右方向を向く端縁で開口していてもよい。
【００３７】
前壁部８２の上端縁において、左右両端部（配線通過口８７に対して左右両側に位置する部分）には、フランジ部８９が形成されている。フランジ部８９は、前壁部８２の上端縁から前方に延設されている。
【００３８】
図４は、図３のＩＶ−ＩＶ線に相当する部分における天板付什器１の断面図である。
図２、図４に示すように、フランジ部８９は、上述した各カバー支持部５１のうち、取付ベース６１の前端部に下方から重ね合わされている。図４に示すように、フランジ部８９のうち、上述したベース挿通孔６０と平面視で重なり合う位置には、フランジ部８９を上下方向に貫通するトレー挿通孔９０が形成されている。トレー挿通孔９０の内径は、ベース挿通孔６０に比べて小径になっている。
【００３９】
トレー挿通孔９０及びベース挿通孔６０内には、取付ベース６１とフランジ部８９とが上下方向で重ね合わされた状態で、下方からビス９１が挿通されている。ビス９１は、トレー挿通孔９０及びベース挿通孔６０を通じて天板２１の雌ねじ部２１ａに下方から締結されている。これにより、カバー支持部５１及び配線トレー５２は、取付ベース６１が天板２１とフランジ部８９との間に上下方向で挟まれた状態で、ビス９１によって共締めされている。
【００４０】
トレー挿通孔９０の開口縁には、孔係合部９３が形成されている。孔係合部９３は、トレー挿通孔９０の開口縁から上方に立設されている。孔係合部９３は、ベース挿通孔６０内に挿入されている。すなわち、孔係合部９３の外周面は、ベース挿通孔６０の内周面に、上下方向に直交する方向で近接又は当接（係合）している。本実施形態において、孔係合部９３は、トレー挿通孔９０の開口縁全周に亘って形成されている。但し、孔係合部９３は、トレー挿通孔９０の開口縁のうち、少なくとも一部に形成されていればよい。
【００４１】
フランジ部８９の外周縁には、外周係合部９４が形成されている。外周係合部９４は、フランジ部８９の外周縁のうち、前端縁及び左右両端縁から上方に立設されている。外周係合部９４は、取付ベース６１の前端部を前方及び左右両側から取り囲んでいる。すなわち、外周係合部９４の内周面は、取付ベース６１における前端部の外周面に、上下方向に直交する方向で近接又は当接（係合）している。なお、外周係合部９４は、フランジ部８９の外周縁において少なくとも一部に形成されていればよい。孔係合部９３や外周係合部９４の上端面は、取付ベース６１の上面と面一に配置されていることが好ましい。
【００４２】
図２に示すように、右壁部８４は、底壁部８１における右側端縁から上方に立設されている。配線トレー５２のうち、前壁部８２、後壁部８３及び右壁部８４で囲まれた部分は、配線トレー５２の内外を連通させる配線通過口９７を画成している。
左壁部８５は、底壁部８１における左側端縁から上方に立設されている。配線トレー５２のうち、前壁部８２、後壁部８３及び左壁部８５で囲まれた部分は、配線トレー５２の内外を連通させる配線通過口９８を画成している。
【００４３】
＜保持部材＞
図３に示すように、保持部材４２は、接続ユニット４３を着脱可能に保持する。保持部材４２は、一対のアダプタ１００を備えている。一対のアダプタ１００は、上述したカバー支持部５１のうち、左右方向で対向する切欠き部（本実施形態では、第１切欠き部６６）内に収容された状態で、カバー支持部５１に着脱可能に取り付けられている。なお、各アダプタ１００は、何れも同様の構成である。そのため、以下の説明では、一方（右側）のアダプタ１００について主に説明し、他方のアダプタ１００については一方のアダプタ１００と同様の符号を付して説明を省略する場合がある。
【００４４】
図５は、アダプタ１００の斜視図である。図６は、図３のＶＩ−ＶＩ線に相当する天板付什器１の断面図である。
図５、図６に示すように、アダプタ１００は、ユニット収容部１０１と、取付片１０２と、を備えている。
ユニット収容部１０１は、上方及び左側に開口する箱型に形成されている。図６に示すように、ユニット収容部１０１の右壁部１０５には、突条１０６が形成されている。突条１０６は、上下方向に延在している。本実施形態において、突条１０６は、右壁部１０５における前後方向の中心に対して両側に一対で形成されている。右壁部１０５の上端部には、右壁部１０５を左右方向に貫通する係止孔１０７が形成されている。
【００４５】
図５に示すように、取付片１０２は、収容部１０１における前壁部１１２、右壁部１０５及び後壁部１１３を取り囲んでいる。取付片１０２における前後両端縁には、差込溝（前側差込溝１１５及び後側差込溝１１６）が形成されている。
【００４６】
図２、図５に示すように、アダプタ１００は、第１切欠き部６６内に収容された状態で、カバー支持部５１（取付ベース６１）に取り付けられる。具体的に、ユニット収容部１０１の下壁部１１７を下方に向けた状態で配線挿通孔２３内にアダプタ１００を上方から進入させた後、アダプタ１００を右側（左右方向の外側）に移動させることで、右側のカバー支持部５１の第１切欠き部６６内にアダプタ１００を差し込む。すると、差込溝１１５，１１６内に、取付ベース６１における切欠き部６６の開口縁が差し込まれる。すなわち、前側差込溝１１５内には、第１切欠き部６６の前端開口縁及び左端開口縁が差し込まれる。一方、後側差込溝１１６内には、第１切欠き部６６の後端開口縁及び左端開口縁が差し込まれる。これにより、アダプタ１００が、カバー支持部５１に対して前後方向及び上下方向に移動不能に係合される。
【００４７】
＜接続ユニット＞
図２に示すように、接続ユニット４３は、保持部材４２を介して配線受けユニット４１に着脱可能に取り付けられる。接続ユニット４３は、配線ボックス１２０と、配線ボックス１２０から引き出されたケーブル１２１と、を有している。
配線ボックス１２０は、左右方向を長手方向とする箱型とされている。配線ボックス１２０の上面には、電子機器Ｄ１，Ｄ２から引き出された配線Ｃ１，Ｃ２を接続可能な電気的接続部１２２が開口している。電気的接続部１２２は、例えばコンセントプラグやＵＳＢ（Ｕｎｉｖｅｒｓａｌ  Ｓｅｒｉａｌ  Ｂｕｓ）コネクタ、ＬＡＮ（Ｌｏｃａｌ  Ａｒｅａ  Ｎｅｔｗｏｒｋ）コネクタ等の受けである。
【００４８】
配線ボックス１２０のうち左右方向を向く両側壁１２５には、保持溝１２６が形成されている。保持溝１２６は、配線ボックス１２０の下面で開口するとともに、上下方向に延在している。保持溝１２６は、前後方向に間隔をあけて一対形成されている。
配線ボックス１２０の側壁１２５において、一対の保持溝１２６間に位置する部分には、舌片部１２８が設けられている。舌片部１２８は、下端部が側壁１２５に接続された状態で、左右方向に撓み変形可能に構成されている。舌片部１２８の上端部には、左右方向の外側（左右方向において配線ボックス１２０の中心から離間する方向）に突出する係止爪１２９が形成されている。
【００４９】
図７は、図１のＶＩＩ−ＶＩＩ線に沿う断面図である。
図７に示すように、配線ボックス１２０は、左右方向の両端部が上述したアダプタ１００のユニット収容部１０１内に収容されることで、一対のアダプタ１００間に架け渡された状態で、保持部材４２に保持される。具体的に、配線ボックス１２０は、アダプタ１００内に上方から挿入される。すると、図２、図６に示すように、配線ボックス１２０の保持溝１２６内にアダプタ１００の突条１０６が進入することで、配線ボックス１２０がユニット収容部１０１内に案内される。配線ボックス１２０をさらに下方に押し込むと、係止爪１２９がユニット収容部１０１の右壁部１０５の内面に摺動することで、舌片部１２８が左右方向の内側（左右方向において配線ボックス１２０の中心に向かう方向）に撓み変形する。その後、係止爪１２９が係止孔１０７に差し掛かると、舌片部１２８が復元変形することで、係止爪１２９が係止孔１０７内に係止される。これにより、配線ボックス１２０が保持部材４２に保持される。なお、配線ボックス１２０が保持部材４２に保持された状態において、配線ボックス１２０の上面は、天板２１の上面と面一に配置されていることが好ましい。
【００５０】
図７に示すように、ケーブル１２１は、配線ボックス１２０から下方に引き出されている。ケーブル１２１は、各アダプタ１００の間を通じて配線トレー５２内に進入している。ケーブル１２１は、配線トレー５２内において、何れかの配線通過口８７，９７，９８を通じて天板２１の下方に引き回された後、例えば外部電源やサーバー等に接続される。
【００５１】
図８は、図１のＶＩＩＩ−ＶＩＩＩ線に沿う断面図である。
図７、図８に示すように、本実施形態の配線受けユニット４１では、カバー支持部５１の前部に、保持部材４２（アダプタ１００）を介して接続ユニット４３が取り付けられている。一方、カバー支持部５１の後部には保持部材４２が取り付けられていない。すなわち、本実施形態の配線受けユニット４１は、保持部材４２の着脱により、接続ユニット４３の取付の有無を変更できるようになっている。
【００５２】
＜第１配線カバー＞
図２に示すように、第１配線カバー４４は、上述した各カバー受部材５５の第１回動軸部６２に回動可能に連結されている。第１配線カバー４４は、カバー本体１３０と、弾性カバー１３１と、を備えている。
【００５３】
図６に示すように、カバー本体１３０は、蓋部１３４と、軸受部１３５と、挿入部１３７と、弾性カバー取付部１３８と、を備えている。
蓋部１３４は、配線挿通孔２３の前部を上方から覆っている。第１配線カバー４４の閉位置において、蓋部１３４のうち、上述した配線ボックス１２０と平面視で重なる位置には、蓋部１３４を上下方向に貫通する露出部１４０が形成されている。露出部１４０は、配線ボックス１２０の上面を外部に露出させている。これにより、第１配線カバー４４が閉位置においても、電子機器Ｄ１，Ｄ２の配線Ｃ１，Ｃ２を電気的接続部１２２に接続することができる。
【００５４】
軸受部１３５は、蓋部１３４の後部から下方に突出している。軸受部１３５は、左右両端部において、各カバー支持部５１の第１回動軸部６２に係合している。これにより、第１配線カバー４４は、左右方向に延びる軸線回りに回動可能に構成されている。すなわち、第１配線カバー４４は、配線挿通孔２３の前部を上方から閉塞する閉位置と、配線挿通孔２３の前部を開放する開位置と、の間で回動する。
【００５５】
挿入部１３７は、第１配線カバー４４の閉位置において、蓋部１３４のうち、上述した下段部７３の保持孔７３ａと重なり合う位置から下方に延設されている。挿入部１３７は、下方に向かうに従い左右方向の幅が段々と縮小する段付き形状とされている。具体的に、挿入部１３７は、下方に位置する幅狭部１３７ａと、上方に位置する幅広部１３７ｂと、が段差部１３７ｃを介して連なっている。挿入部１３７の幅狭部１３７ａは、第１配線カバー４４の閉位置において、保持孔７３ａ内に挿入される。この際、段差部１３７ｃが下段部７３の上面に上方から近接又は当接することで、第１配線カバー４４が閉位置で位置決めされる。なお、第１配線カバー４４の閉位置での位置決めは、第１配線カバー４４及びカバー受部材５５の少なくとも何れかに、第１配線カバー４４の閉位置で互いに当接する当接部を有する構成であればよい。
弾性カバー取付部１３８は、蓋部１３４の外周部分において、左右両端部及び前端部から下方に延設されている。
【００５６】
弾性カバー１３１は、弾性カバー取付部１３８に取り付けられた状態で、カバー本体１３０から外方に張り出している。弾性カバー１３１は、ゴム等の弾性変形可能な板状の部材である。弾性カバー１３１は、配線挿通孔２３内において、カバー本体１３０の前端縁（前後方向における外側端縁）と、配線挿通孔２３における前端開口縁と、の間の隙間Ｓ（図３参照）を上下方向で仕切っている。また、図７に示すように、弾性カバー１３１は、カバー本体１３０における左右の両端縁と、配線挿通孔２３における左右の開口縁と、の間を上下方向で仕切ることで、カバー支持部５１（カバー受部材５５）を上方から覆っている。なお、弾性カバー１３１は、第１配線カバー４４の閉位置において、中段部７４に上方から近接又は当接している。
【００５７】
第２配線カバー４５は、上述した各カバー受部材５５の第２回動軸部６３に回動可能に連結されている。なお、第２配線カバー４５は、露出部１４０を有していない以外は、第１配線カバー４４と同様の構成である。すなわち、第２配線カバー４５は、カバー本体１３０と、弾性カバー１３１と、を備えている。
【００５８】
第２配線カバー４５は、軸受部１３５が第２回動軸部６３に係合することで、左右方向に延びる軸線回りに回動可能に構成されている。すなわち、第２配線カバー４５は、配線挿通孔２３の後部を上方から閉塞する閉位置と、配線挿通孔２３の後部を開放する開位置と、の間で回動する。第２配線カバー４５の閉位置において、弾性カバー１３１は、第２切欠き部６７を上方から覆っている。
【００５９】
配線カバー４４，４５は、弾性カバー１３１を有しない構成であってもよい。また、弾性カバー１３１は、板状に限らず、ブラシ状等であってもよい。
【００６０】
［天板付什器の組立方法］
次に、上述した天板付什器１の組立方法について説明する。以下の説明では、天板２１に対して配線接続システム２２を組み付ける方法について主に説明する。以下で説明する組立方法は、あくまで一例であり、組付順等は適宜変更が可能である。
図１、図２に示すように、まず一対のカバー受部材５５と、配線トレー５２と、を組み合わせる。具体的には、配線トレー５２において、前壁部８２及び後壁部８３の前後方向で対向するフランジ部８９間を架け渡すように、カバー受部材５５を載置する。この際、カバー受部材５５のベース挿通孔６０内に孔係合部９３が進入するとともに、取付ベース６１の前後両端部が外周係合部９４の内側に配置される。
【００６１】
続いて、配線受けユニット４１を天板２１に取り付ける。具体的には、図４に示すように、ベース挿通孔６０及びトレー挿通孔９０を天板２１の雌ねじ部２１ａに位置合わせした状態で、ベース挿通孔６０及びトレー挿通孔９０を通じて雌ねじ部２１ａにビス９１を締結する。
【００６２】
次に、カバー支持部５１に保持部材４２（アダプタ１００）を組み付ける。具体的には、ユニット収容部１０１の下壁部１１７を下方に向けた状態で配線挿通孔２３内にアダプタ１００を上方から進入させた後、アダプタ１００を左右方向の外側に移動させる。すると、差込溝１１５，１１６内に、取付ベース６１における切欠き部６６の開口縁が差し込まれることで、アダプタ１００がカバー支持部５１に対して前後方向及び上下方向で係合する。
【００６３】
続いて、カバー支持部５１に接続ユニット４３を取り付ける。具体的には、配線ボックス１２０における左右方向の両端部を各アダプタ１００のユニット収容部１０１内に上方から差し込む。これにより、配線ボックス１２０は、各アダプタ１００間を架け渡した状態で、アダプタ１００を介してカバー支持部５１に組み付けられる。なお、接続ユニット４３のケーブル１２１は、配線トレー５２内において、何れかの配線通過口８７，９７，９８を通じて天板２１の下方に引き回された後、例えば外部電源やサーバー等に接続される。
【００６４】
次に、配線カバー４４，４５をカバー支持部５１に取り付ける。具体的には、第１配線カバー４４の軸受部１３５を第１回動軸部６２に連結するとともに、第２配線カバー４５の軸受部１３５を第２回動軸部６３に連結する。これにより、配線カバー４４，４５が、カバー支持部５１に対して左右方向に沿う軸線回りに回動可能に支持される。
以上により、天板付什器１が完成する。
【００６５】
［天板付什器の使用方法］
次に、上述した天板付什器１の使用方法について説明する。以下の説明では、天板２１に載置される電子機器Ｄ１，Ｄ２の配線Ｃ１，Ｃ２の引き回しについて説明する。
図１に示すように、天板２１上において、例えば配線接続システム２２に対して前方に載置された電子機器Ｄ１の配線Ｃ１を接続ユニット４３に接続するには、配線Ｃ１を電子機器Ｄ１から後方に引き出す。その後、配線Ｃ１を接続ユニット４３の電気的接続部１２２に接続する。これにより、接続ユニット４３を介して電子機器Ｄ１への電源供給や、電子機器Ｄ１のネットワークの接続が可能になる。
【００６６】
また、天板２１上において、例えば配線接続システム２２に対して後方に載置された電子機器Ｄ２については、配線Ｃ２を電子機器Ｄ２から後方に引き出す。次に、第２配線カバー４５を開位置に移動させた状態で、配線Ｃ２を配線挿通孔２３内に進入させる。これにより、配線Ｃ２が天板２１の下方に導かれる。続いて、第２配線カバー４５を閉位置とすると、弾性カバー１３１が配線Ｃ２の外形に倣って弾性変形する。これにより、第２配線カバー４５の外周縁と、配線挿通孔２３の開口縁と、の間は、配線Ｃ２の通過を許容した上で、弾性カバー１３１により閉塞される。なお、配線挿通孔２３を通過した配線Ｃ２は、例えば配線トレー５２上に載置されたテーブルタップに接続されたり、何れかの配線通過口８７，９７，９８を通じて天板２１の下方に導いたりされる。
【００６７】
このように、本実施形態では、接続ユニット４３を保持する保持部材４２がカバー支持部５１に着脱可能に取り付けられる構成とした。
この構成によれば、保持部材４２をカバー支持部５１に取り付けることで、接続ユニット４３が天板２１に取り付けられた態様の天板付什器１を提供できる。一方、カバー支持部５１から保持部材４２を取り外すことで、接続ユニット４３が天板２１に取り付けられていない態様の天板付什器１を提供できる。すなわち、接続ユニット４３を天板２１に取り付ける態様と、接続ユニット４３を天板２１に取り付けない態様と、を保持部材４２の着脱で切り替えられるので、カバー支持部５１を共用できる。これにより、顧客のニーズに柔軟、かつ低コストで対応できる。
なお、接続ユニット４３を天板２１に取り付けない態様の場合に、保持部材４２を取り外すことで、カバー支持部５１の開口面積を確保して、配線挿通スペースを拡大できる。
【００６８】
本実施形態では、第１配線カバー（配線カバー）４４のうち、平面視で接続ユニット４３と平面視で重なり合う位置には、電気的接続部１２２を外部に露出させる露出部１４０が形成されている構成とした。
この構成によれば、第１配線カバー４４が閉位置であっても電子機器Ｄ１，Ｄ２と接続ユニット４３（電気的接続部１２２）との電気的接続が可能となる。そのため、電子機器Ｄ１，Ｄ２の接続状態における天板付什器１の体裁を向上させることができる。
【００６９】
本実施形態では、カバー支持部５１が一対のカバー受部材５５により構成され、保持部材４２が一対のアダプタ１００により構成されている。そのため、カバー支持部５１及び保持部材４２をそれぞれ一体で形成する場合に比べて各部材の小型化を図ることができる。また、保持部材４２を一対のアダプタ１００に分割することで、カバー支持部５１に対する保持部材４２（アダプタ１００）の組付性を向上させることができる。
【００７０】
本実施形態では、アダプタ１００が取付ベース（アダプタ係合部）６１に上下方向で係合するとともに、接続ユニット４３がアダプタ１００に上方から挿入される構成とした。
この構成によれば、アダプタ１００が取付ベース６１に上下方向で係合しているため、接続ユニット４３への配線Ｃ１，Ｃ２への抜き差しの際に、アダプタ１００がカバー受部材５５から外れるのを抑制できる。
【００７１】
本実施形態では、切欠き部６６，６７が平面視で配線挿通孔２３の内側に配置される構成とした。
この構成によれば、接続ユニット４３を天板２１に取り付けない態様の場合に、切欠き部６６，６７を配線挿通スペースに利用できる。
一方、接続ユニット４３を天板２１に取り付ける態様の場合には、配線ボックス１２０における左右方向の両端部が切欠き部６６，６７内に配置される。これにより、取付ベース６１における左右方向の内側端縁同士の距離よりも大型の接続ユニット４３を使用することができる。
その結果、利便性を向上させることができる。
【００７２】
本実施形態では、配線カバー４４，４５の閉位置において、カバー本体１３０の外周縁と配線挿通孔２３の内周縁との間に隙間Ｓが設けられる構成とした。
この構成によれば、配線挿通孔２３内に配線Ｃ１，Ｃ２を通した場合であっても、配線カバー４４，４５を閉位置にすることができる。これにより、天板付什器１の体裁を向上させることができる。
【００７３】
本実施形態では、天板２１の下方に配線トレー５２が配設される構成とした。
この構成によれば、天板２１の下方で配線Ｃ１，Ｃ２を案内したり、配線トレー５２上にテーブルタップ等を載置したりすることができる。また、配線挿通孔２３が配線トレー５２によって下方から覆われるため、天板付什器１の体裁を向上させることができる。
【００７４】
（変形例）
上述した第１実施形態では、カバー支持部５１の前部のみに接続ユニット４３が取り付けられている構成について説明したが、この構成に限られない。接続ユニット４３は、カバー支持部５１の前部及び後部の少なくとも一方に接続ユニット４３が取り付けられていてもよく、接続ユニット４３が取り付けられていない構成であってもよい。
【００７５】
上述した実施形態では、保持部材４２として一対のアダプタ１００を有する構成としたが、この構成に限られない。すなわち、保持部材４２は一体に形成されていてもよい。
上述した実施形態では、切欠き部６６，６７内にアダプタ１００が収容される構成について説明したが、この構成に限られない。カバー支持部５１へのアダプタ１００の取付方法は適宜変更が可能である。例えば、アダプタ１００は、取付ベース６１における左右方向の内側端縁に取り付けてもよい。
【００７６】
上述した実施形態では、第１配線カバー４４に露出部１４０が形成された構成について説明したが、この構成に限らず、露出部１４０を有さない構成であってもよい。また、露出部１４０は、例えば図９に示すようにカバー本体１３０（蓋部１３４）の外周縁の一部が開放されていてもよい。また、図１０に示すように、接続ユニット４３は、平面視でカバー本体１３０（蓋部１３４）と重ならない位置に配置されていてもよい。
【００７７】
上述した実施形態では、配線受けユニット４１がカバー支持部５１と配線トレー５２とを有する構成について説明したが、この構成に限られない。配線受けユニット４１は、配線トレー５２を有さない構成でもよく、カバー支持部５１を有さない構成であってもよい。カバー支持部５１を有さない場合には、上述した孔係合部９３や外周係合部９４の上端面が、フランジ部８９と天板２１の下面との間のスペーサとして機能する。
【００７８】
上述した実施形態では、配線トレー５２に係合部９３，９４が形成された構成について説明したが、この構成のみに限られない。例えば、図１１に示すように、カバー受部材５５に孔係合部１６０及び外周係合部１６１を形成してもよい。図示の例において、孔係合部１６０は、ベース挿通孔６０の開口縁から下方に延設されている。孔係合部１６０は、トレー挿通孔９０内に進入している。
外周係合部１６１は、取付ベース６１の外周縁から下方に延設されている。外周係合部１６１は、フランジ部８９を外方から取り囲んでいる。また、上述した実施形態では、孔係合部及び外周係合部の双方を有する構成について説明したが、この構成のみに限らず、孔係合部及び外周係合部の何れかを有する構成であればよい。
【００７９】
上述した実施形態では、天板２１と配線トレー５２との間にカバー支持部５１が挟まれる構成について説明したが、これとは逆に、天板２１とカバー支持部５１の取付ベースとの間に配線トレー５２のフランジ部が挟まれた構成であってもよい。また、カバー支持部５１と配線トレー５２とを別々に固定してもよい。
上述した実施形態では、カバー支持部５１と配線トレー５２とをビス９１によって共締めする構成について説明したが、この構成のみに限られない。すなわち、カバー支持部及び配線トレーは、少なくとも一部が天板２１又は支持構造体１２との間で挟まれる構成であれば、カバー支持部及び配線トレーの天板２１への固定箇所は別々であってもよい。
【００８０】
（第２実施形態）
次に、本発明に係る第２実施形態について説明する。図１２は、第２実施形態に係る配線接続システム２００の斜視図である。本実施形態では、配線カバー２０１が一枚である点や、カバー支持部２０２が一体に形成されている点等で上述した第１実施形態と相違している。なお、以下の説明では、上述した実施形態と同様の構成については同一の符号を付して説明を省略する。
図１２に示す配線接続システム２００において、カバー支持部２０２は、配線挿通孔２３の開口縁に沿って延びる平面視で枠状に形成されている。具体的に、カバー支持部２０２は、一対の取付ベース（アダプタ係合部）２１０と、一対の取付ベース２１０間を架け渡すブリッジ部（第１ブリッジ部２１１及び第２ブリッジ部２１２）と、を備えている。
【００８１】
取付ベース２１０は、配線挿通孔２３の左右開口縁に沿って前後方向に延在している。取付ベース２１０における前後両端部には、取付ベース２１０を上下方向に貫通するベース挿通孔６０が形成されている。
取付ベース２１０の後部には、左右方向の内側に向けて開口する切欠き部２１４が形成されている。切欠き部２１４内にはアダプタ１００が収容されている。アダプタ１００は、上述した第１実施形態と同様に、切欠き部２１４の内周縁に係合している。アダプタ１００は、接続ユニット４３の配線ボックス１２０を保持している。
【００８２】
第１ブリッジ部２１１は、各取付ベース２１０の前端部同士の間を架け渡している。
第２ブリッジ部２１２は、各取付ベース２１０の後端部同士の間を架け渡している。第２ブリッジ部２１２における左右方向の両端部には、回動軸部２１５が上方に立設されている。回動軸部２１５には、配線カバー２０１が回動可能に連結されている。配線カバー２０１は、配線挿通孔２３（カバー支持部２０２の内側）を開閉する。
【００８３】
カバー支持部２０２の内側であって、取付ベース２１０と第１ブリッジ部２１１とがなす角部には、台座部２２０が配設されている。台座部２２０は、上述した第１実施形態と同様に、下段部７３、中段部７４及び上段部７５を有している。
【００８４】
配線トレー２３０は、上方に開口する箱型とされている。配線トレー２３０の周壁部２３１において、左右方向を向く側壁２３２には、側壁２３２を左右方向に貫通する配線通過口２３３が形成されている。
周壁部２３１の上端縁には、周壁部２３１から外方に張り出すフランジ部２３５が形成されている。フランジ部２３５はカバー支持部２０２における主に取付ベース２１０に下方から重なり合っている。
【００８５】
フランジ部２３５において、平面視でベース挿通孔６０と重なり合う位置には、トレー挿通孔９０が形成されている。トレー挿通孔９０及びベース挿通孔６０内には、取付ベース２１０とフランジ部２３５とが上下方向で重ね合わされた状態で、下方からビス９１（図４参照）が挿通されている。ビス９１は、トレー挿通孔９０及びベース挿通孔６０を通じて天板２１の雌ねじ部２１ａに下方から締結される。これにより、カバー支持部２０２及び配線トレー２３０は、取付ベース２１０が天板２１とフランジ部２３５との間に上下方向で挟まれた状態で、ビス９１によって共締めされている。
【００８６】
フランジ部２３５において、トレー挿通孔９０の開口縁には、上述した第１実施形態と同様に、孔係合部９３が形成されている。
フランジ部２３５の外周縁には、上述した第１実施形態と同様に、外周係合部９４が形成されている。
【００８７】
本実施形態では、上述した第１実施形態と同様の作用効果を奏することに加え、以下の作用効果を奏する。
本実施形態では、カバー支持部２０２を一体形成したため、配線受けユニット４１の部品点数の削減を図ることができる。
【００８８】
（その他の変形例）
以上、本発明の好ましい実施形態を説明したが、本発明はこれら実施形態に限定されることはない。本発明の趣旨を逸脱しない範囲で、構成の付加、省略、置換、及びその他の変更が可能である。本発明は上述した説明によって限定されることはなく、添付の特許請求の範囲によってのみ限定される。
例えば、上述した実施形態では、カバー支持部が天板２１に設けられた構成について説明したが、この構成に限られない。カバー支持部は、支持構造体１２に設けてもよい。
上述した実施形態では、カバー支持部及び配線トレーが上下方向で天板２１に取り付けられた構成について説明したが、この構成のみに限られない。カバー支持部及び配線トレーは、前後方向や左右方向で取り付けられていてもよい。
上述した実施形態では、天板付什器１としてテーブルを例にした場合について説明したが、この構成のみに限られない。天板付什器は、例えば棚等、少なくとも天板を有する構成であればよい。
上述した実施形態では、配線カバーがカバー支持部に回動可能に支持された構成について説明したが、この構成に限られない。配線カバーは、配線挿通孔を開閉する構成であれば、カバー支持部に対してスライドや着脱する構成であってもよい。
【００８９】
その他、本発明の趣旨を逸脱しない範囲で、上述した実施形態における構成要素を周知の構成要素に置き換えることは適宜可能であり、また、上述した各変形例を適宜組み合わせてもよい。
【符号の説明】
【００９０】
１…天板付什器
１２…支持構造体
２１…天板
２３…配線挿通孔
４２…保持部材
４３…接続ユニット
４４…第１配線カバー（配線カバー）
４５…第２配線カバー（配線カバー）
５１…カバー支持部
５２…配線トレー
５５…カバー受部材
６１…取付ベース（アダプタ係合部）
６６…第１切欠き部（切欠き部）
６７…第２切欠き部（切欠き部）
１００…アダプタ
１０１…ユニット収容部
１４０…露出部
２０１…配線カバー
２０２…カバー支持部
２１０…取付ベース（アダプタ係合部）
２１４…切欠き部
２３０…配線トレー
Ｓ…隙間
【図１】
2020081330.tif 000003
【図２】
2020081330.tif 000004
【図３】
2020081330.tif 000005
【図４】
2020081330.tif 000006
【図５】
2020081330.tif 000007
【図６】
2020081330.tif 000008
【図７】
2020081330.tif 000009
【図８】
2020081330.tif 000010
【図９】
2020081330.tif 000011
【図１０】
2020081330.tif 000012
【図１１】
2020081330.tif 000013
【図１２】
2020081330.tif 000014